(57)【特許請求の範囲】
【請求項１】
入口部から出口部へ延びる流路が形成された弁ケースと、前記流路の途中部に設けられた弁座と、この弁座の上側に設けられた回動軸を中心にスイング可能なアームと、このアーム先端に取付けられた弁体とを備え、前記弁体が自重により閉弁するスイング式逆止弁において、
前記弁体の外周部分に前記弁座に当接する弁部を形成すると共に、前記弁体に前記弁部の少なくとも一部から弁体の径方向外側へ張り出した拡張部を設け、
前記拡張部の軸心方向の厚さが弁部の軸心方向の厚さよりも小さく形成され、
前記拡張部は、前記弁体が閉弁状態のとき前記弁座の外周側の壁部から前記流路を流れる流体の流れ方向の下流側へ離隔するように形成されたことを特徴とするスイング式逆止弁。
【発明の詳細な説明】
【技術分野】
【０００１】
本発明は、流路を流れる流体の逆流を防止し、流体を一方向のみに流すスイング式逆止弁に関する。
【背景技術】
【０００２】
従来より、ＬＮＧプラントや化学プラント等において、各種流体の輸送用配管の途中部に配置され、輸送用配管内を流れる流体流量が多いとき、弁座から離隔して開弁し、流体の流れが少量又は止められたとき、自重により弁座に当接して閉弁する弁体を備えたスイング式逆止弁が知られている。
【０００３】
このスイング式逆止弁５１は、図４に一例を示すように、入口部５３ａから出口部５３ｂへ延びる流路５３が形成された弁ケース５２と、流路５３の途中部に設けられた弁座５４と、この弁座５４上側に設けられた回動軸５６を中心にスイング可能なアーム５５と、このアーム５５先端に取付けられた弁体５７と、この弁体５７の外周部分に弁座５４に当接する弁部５７ａとを備え、流路５３内を流れる流体流量が多いとき、弁部５７ａが弁座５４から離隔して開弁し、流体の流れが止まったとき、弁体５７の自重により弁部５７ａが弁座５４に当接して閉弁するように構成されている。
【０００４】
このようなスイング式逆止弁では、入口側の流体が吹き出し圧力（セット圧力ともいう）を僅かに超えた状態で一定流量に安定したとき、弁体５７が数１０Ｈｚ以下の比較的低周波の振動を繰り返し、この振動に伴う往復運動により弁部５７ａが弁座５４を周期的に打撃する現象、所謂チャタリングを生じることがある。このチャタリングが発生した場合、弁体５７と弁座５４の打撃による損傷や、これに起因して弁座５４からの漏洩や打撃部分の摩耗及び配管振動等を引き起こす虞がある。
【０００５】
弁体と弁座に係るチャタリング発生のメカニズムは、以下のように考えられている。
（ｉ）弁体上流側の流体圧が吹き出し圧力を僅かに超えた状態で一定流量に安定した、所謂チャタリング発生域のとき、流体から弁体に加わる揚弁力（開弁力）が弁体を押し上げ、弁体が弁座から微小距離離隔して開弁状態になる。
（ii）弁体上流側の流体速度が増加し、流体の運動量と圧力損出が増すことにより、弁体上流側の流体圧が減少する。
（iii）弁体上流側の流体圧が吹き止まり圧力を下回り、弁部が弁座に当接して閉弁状態になる。
（iv）弁体上流側の流体速度が低下し、流体の運動量と圧力損出が減少することにより、弁体上流側の流体圧が増加する。
（ｖ）前記（ｉ）〜（iv）を繰り返す。
【０００６】
前述したチャタリングの発生を回避するための対策として、
（１）弁体上流側の流体の圧力変化を吹き出し圧力と吹き止まり圧力との差（吹下り圧力）よりも小さくする、
（２）流路を流れる流体流量を多くする（揚弁力を大きくする）、
（３）弁体の重量を軽くして吹き出し圧力を低下する、
等が知られている。
前記（１）は、配管長等の設備側の要求や流体の流路抵抗等の要因によって決定されるものであり、弁体上流側の流体の圧力変化を調整することは容易ではない。前記（２）についても、流体の受入側の要求によって決定されるものであり、チャタリング防止のために流体を増量することは前記（１）と同様の問題がある。
【０００７】
前記（３）では、吹き出し圧力を低下して、チャタリング発生域を吹き出し圧力に応じて低圧側に移動でき、これに伴い発生頻度自体も減少させることができる。
しかし、このような逆止弁では、流体逆流時の流体圧に耐え得る強度が要求されるため、要求される強度に応じた厚さが必要であり、その重量も大きくなる。それ故、逆止弁機能との関係上、弁体の軽量化には限界がある。
【０００８】
特許文献１のスイング式逆止弁は、流路が形成された弁ケースと、流路の途中部に設けられた弁座と、この弁座の上側に設けられた回動軸を中心にスイング可能なアームと、このアーム先端に取付けられた弁体と、この弁体の外周部分に弁座に当接する弁部と、弁体が全開状態のとき弁体と当接するストッパと、回動軸回りに設けられたねじりコイルばねとを備え、ねじりコイルばねが開弁状態から全開状態に至るまでの間、弁体を閉弁側へ付勢するように構成されている。このスイング式逆止弁では、開弁状態のとき、弁体を閉弁側に付勢して弁体と受け座に相当するストッパとの当接頻度を抑制することにより、ストッパ側チャタリング発生域におけるチャタリングの発生防止を図っている。
【０００９】
また、弁体に、小流量の流体を流通可能な小孔部を形成し、弁体の出口側面部に、自重で小孔部に接することにより小孔部を塞ぎ且つ小孔部を通る流体により押し上げられて小孔部を開く小弁体を設けたスイング式逆止弁も公知である。このスイング式逆止弁では、チャタリング発生域において、弁体の開弁を伴うことなく小弁体が開閉するため、弁体のチャタリングの発生を回避できる。
【先行技術文献】
【特許文献】
【００１０】
【特許文献１】特開平６−２２９４８０号公報
【発明の概要】
【発明が解決しようとする課題】
【００１１】
特許文献１のスイング式逆止弁は、開弁状態から弁体とストッパとが当接する全開状態への回動を抑制しているため、配管長等の設備側の要求に拘わらずストッパ側チャタリング発生域におけるチャタリング発生を回避することができる。しかし、特許文献１の技術を弁座側に発生するチャタリング対策に適用した場合、次のような課題が生じる。
即ち、開弁状態から閉弁状態に至るまでの間では、弁体を開弁側へ付勢するねじりコイルばねを設けた場合、チャタリング発生域における開弁状態の弁体と弁座との当接頻度を抑制することはできる。しかし、閉弁状態であっても弁体が開弁側へ付勢されているため、本来は開動作しない程度の弁体上流側の流体圧であっても、弁体が開弁し、結果的に弁体と弁座との当接頻度を抑制できずチャタリングの発生を招く虞がある。
【００１２】
また、チャタリング発生域において小孔部を開く小弁体を備えたスイング式逆止弁では、弁体と弁座との当接頻度を抑制できるものの、依然として小弁体のチャタリングが発生する。しかも、小弁体が水平よりも上向きに押し上げられた状態から急激に流体が逆流したとき、流体が小弁体を押し上げる方向に流れるため、小孔部の開状態が継続し、逆止弁機能が阻害される虞もある。
【００１３】
本発明の目的は、逆止弁機能の向上とチャタリング防止とを両立することができるスイング式逆止弁を提供することである。
【課題を解決するための手段】
【００１４】
請求項１のスイング式逆止弁は、入口部から出口部へ延びる流路が形成された弁ケースと、前記流路の途中部に設けられた弁座と、この弁座の上側に設けられた回動軸を中心にスイング可能なアームと、このアーム先端に取付けられた弁体とを備え、前記弁体が自重により閉弁するスイング式逆止弁において、前記弁体の外周部分に前記弁座に当接する弁部を形成すると共に、前記弁体に前記弁部の少なくとも一部から弁体の径方向外側へ張り出した拡張部を設け、前記拡張部の軸心方向の厚さが弁部の軸心方向の厚さよりも小さく形成され、前記拡張部は、前記弁体が閉弁状態のとき前記弁座の外周側の壁部から前記流路を流れる流体の流れ方向の下流側へ離隔するように形成されたことを特徴としている。
【発明の効果】
【００１６】
請求項１の発明によれば、弁部の少なくとも一部から弁体の径方向外側へ張り出した拡張部を設けたことにより、開弁状態における流体を受ける弁体の受圧面積を閉弁状態における流体を受ける弁体の受圧面積よりも増加することができるため、開弁により弁体上流側の流体圧が減少しても、弁体に作用する揚弁力の低下を抑制でき、弁体と弁座との当接頻度を抑制してずチャタリングの発生を回避することができる。しかも、開弁状態において急激に流体が逆流したとき、弁体下流側の流体に対する受圧面積が大きく、弁体を閉弁方向に回動するための閉弁力を大きくすることができるため、閉弁動作の応答性を高くでき、逆止弁機能を向上することができる。
【００１７】
そして、閉弁状態のとき、拡張部が弁座の外周側の壁部と当接しないため、拡張部の軸心方向の厚さを小さくすることができ、弁体の軽量化によりチャタリングの発生を一層防止することができる。
【図面の簡単な説明】
【００１８】
【図１】本発明の実施例１に係るスイング式逆止弁の全体構成を示す縦断面図である。
【図２】図１のII−II線断面図である。
【図３】弁体と弁座との要部拡大断面を示し、（ａ）は閉弁状態、（ｂ）は開弁直後の状態、（ｃ）は開弁直後の弁体に作用する力を模式的に示す図である。
【図４】従来のスイング式逆止弁の全体構成を示す縦断面図である。
【発明を実施するための形態】
【００１９】
以下、本発明の実施の形態について実施例に基づいて説明する。
【実施例１】
【００２０】
実施例１について、図１〜３に基づいて説明する
本実施例のスイング式逆止弁１は、流体を流すための流路３が形成された弁ケース２と、流路３の途中部に設けられた弁座４と、回動軸６を中心にスイング可能なアーム５と、このアーム５先端に取付けられた弁体７とを備え、この弁体７が自重により閉弁可能に構成されることにより流体を一方向のみに流す逆止弁である。
【００２１】
図１，図２に示すように、弁ケース２は、流体（例えば、天然ガス等）の輸送用配管（図示略）の途中部に接続され、入口部３ａと、出口部３ｂと、作業部３ｃの３つの開口を備えた金属製ケーシングで構成されている。弁ケース２の内部には、入口部３ａから出口部３ｂに亙って直線状に延びる流路３と、ストッパ８とが形成されている。
このストッパ８は、流路３を流れる流体流量が増加し、弁体７が全開状態のとき、弁体７の下流側背面部と当接して弁体７の開度を一定に保持している。
【００２２】
入口部３ａは、流体を加圧するコンプレッサ（図示略）に連なる上流側配管（図示略）とフランジ２ａを介して接続され、出口部３ｂは、受け側設備と連なる下流側配管（図示略）とフランジ２ｂを介して接続される。作業部３ｃは、フランジ２ｃに複数のボルト１０により固定された円盤状蓋部材９によって閉鎖され、弁体７の組付けやメインテナンスのとき、蓋部材９をフランジ２ｃから取り外して所定の作業を行う。
【００２３】
図１に示すように、環状の弁座４は、流路３の入口部３ａ側途中部に形成された壁部２ｄの径方向内側部分において流体の流れ方向下流側へ突出するように形成されている。
尚、以下、流体の流れ方向における上下流側を上下流側として説明する。
【００２４】
アーム５は、略Ｌ字状に形成され、一端に回動軸６へ外装可能な回動部５ａを備え、他端に筒状の弁体支持部５ｂを備えている。回動軸６は、壁部２ｄにおいてフランジ２ｃと弁座４の上端との略中間位置に設けられ、回動部５ａを回動自在に枢支している。この回動軸６は、図２に示すように、弁ケース２に設けられた挿通穴に挿通され、その基端部分に内嵌されたブッシュ１１を介してプラグ１２によって抜け止めされている。
【００２５】
図１に示すように、弁体７は、ステンレス鋼（例えば、ＳＵＳ３１６）により円板状に形成され、弁座４と当接可能な弁部７ａと、弁体７を弁体支持部５ｂに固定するための軸部７ｂと、凹部７ｃと、環状の拡張部１３とが同心状に一体形成されている。
この弁体７は、流路３内を流れる流体流量が多いとき、弁部７ａが弁座４から下流側へ離隔して開弁し、流体の流れが止まったとき、弁体７の自重により弁部７ａが弁座４に当接して閉弁するように構成されている。
【００２６】
弁部７ａは、閉弁状態の弁体７の外周部分において上流側へ突出するように形成され、弁部７ａの上流側端面が弁座４の下流側端面と面接触するように環状に構成されている。軸部７ｂは、閉弁状態の弁体７の中央部分から下流側へ延びるように形成され、下流端部分には雄ねじが形成されている。この軸部７ｂは、弁体支持部５ｂに上流側から挿通され、雄ねじに螺合可能なナット１５によって弁体支持部５ｂに固定される。
凹部７ｃは、閉弁状態の弁体７の上流側部分に凹入形成され、凹部７ｃの軸心方向の厚さが、弁部７ａの軸心方向の厚さよりも小さく設定されている。
【００２７】
図１に示すように、拡張部１３は、閉弁状態の弁部７ａの下流端全周から弁体７の径方向外側へ環状に張り出し、その軸心方向の厚さが、弁部７ａの軸心方向の厚さ、更には、凹部７ｃの軸心方向の厚さよりも小さく形成されている。それ故、拡張部１３は、弁体７が閉弁状態のとき弁座４の外周側の壁部２ｄから下流側へ離隔して配置されている。
【００２８】
次に、スイング式逆止弁１の作用・効果について説明する。
図３（ａ）に示すように、流路３内の流体の流速が略零の閉弁状態のとき、弁体７の揚弁力（弁体７が流体から受ける力）Ｆｗａは、次式（１）のように表すことができる。
Ｆｗａ＝π（ｒａ）２×△Ｐ                                        …（１）
ｒａは弁部７ａ（内周端）の半径、△Ｐは配管内の流体圧変化に起因する一次圧と二次圧との差圧である。尚、説明の便宜上、弁体７に作用する圧力分布の項を省略し、流体の動圧が弁体７に一律に作用する簡易モデルにより説明する。
【００２９】
図３（ｂ），図３（ｃ）に示すように、弁部７ａが弁座４から下流側へ離隔した開弁状態直後のとき、弁体７の揚弁力Ｆｗｂは、次式（２）のように表すことができる。
Ｆｗｂ＝（１／２）×ρ×π（ｒｂ）２×ｃｏｓθ×（Ｖｂ）２×Ｃｘ  …（２）
ρは流体密度、ｒｂ（ｒａ＜ｒｂ）は拡張部１３を含む弁体７の半径、θは鉛直方向に対する弁体７の傾き、Ｃｘは抵抗係数、Ｖｂは流速であり、この流速Ｖｂは傾きθに依存する。
【００３０】
ここで、次式（３）に示す閉弁モーメントＭｃが次式（４）に示す開弁モーメントＭｏよりも大きいとき、チャタリングが発生する。
Ｍｃ＝Ｍ×ｇ×ｓｉｎθ×Ｌ                                       …（３）
Ｍはアーム５と弁体７の合計重量、ｇは重力加速度、Ｌは回動軸６からアーム５と弁体７との重心Ｇまでの距離である。
Ｍｏ＝Ｆｗｂ×Ｌ                                                 …（４）
そこで、スイング式逆止弁１の弁体７では、所定の低流量でも開弁モーメントＭｏが閉弁モーメントＭｃよりも大きくなるように、Ｍを抑え、ｒｂ（拡張部１３の面積）を大きくなるように設定している。
【００３１】
以上のように、スイング式逆止弁１では、弁体７の重量増加を抑制しつつ、開弁状態の弁体７の受圧面積π（ｒｂ）２を、閉弁状態の弁体７の受圧面積π（ｒａ）２よりも拡大することができる。即ち、開弁状態の流体流量が同じ従来型の弁体（半径がｒａ）と弁体７とを比較したとき、弁体７の受圧面積π（ｒｂ）２を従来型の弁体の受圧面積π（ｒａ）２よりも大きくすることができ、これに伴い揚弁力も大きくできるから、弁体７上流側の流体圧変化が生じた場合でも、従来型の弁体と比べて開弁モーメントＭｏを閉弁モーメントＭｃよりも大きな状態に維持することができる。
【００３２】
次に、３種類の弁体Ａ〜Ｃを用いた検証実験により実証されたスイング式逆止弁１の効果について説明する。この検証実験では、図４に示す従来の弁体Ａと、弁体７から拡張部１３を省略した弁体Ｂと、弁体７と同じ構造の弁体Ｃとを準備した上で、上流側からコンプレッサにより加圧された流体を流し、チャタリング発生が停止したときのコンプレッサ出力を夫々計測した。尚、弁体Ａの半径と弁体Ｂの半径と弁体Ｃの弁座半径は同一とされ、その他、弁ケース、アーム等の構成は何れも同じ仕様に設定されている。
【００３３】
検証実験の結果を下記対比表に示す。
【表１】
0005921185.tif 000002
以上のように、弁体Ｂ，Ｃは、弁体Ａに比べて軽量化されているため、チャタリング発生域を低流量（低圧）側に移動でき、チャタリングが早期に抑制されている。
弁体Ｃは、弁体Ｂに比べて弁体重量は増加しているものの、拡張部１３による受圧面積の拡大により、開弁状態における揚弁力を増加でき、弁体Ｂよりもチャタリングの抑制効果が格段に高いことが分かる。
【００３４】
スイング式逆止弁１によれば、弁部７ａの少なくとも一部から弁体７の径方向外側へ張り出した拡張部１３を設けたことにより、開弁状態における流体を受ける弁体７の受圧面積を従来型の弁体Ａの受圧面積よりも増加することができるため、開弁により弁体７上流側の流体圧が減少しても、弁体７に作用する揚弁力の低下を抑制でき、弁体７と弁座４との当接頻度を抑制してチャタリングの発生を回避することができる。
【００３５】
拡張部１３の軸心方向の厚さが弁部７ａの軸心方向の厚さよりも小さく形成され、拡張部１３は、弁体７が閉弁状態のとき弁座４の外周側の壁部２ｄから流路３を流れる流体の流れ方向の下流側へ離隔するように形成されたため、閉弁状態のとき、拡張部１３が弁座４の外周側の壁部２ｄと当接しないため、拡張部１３の軸心方向の厚さを小さくすることができ、弁体７の軽量化によりチャタリングの発生を一層防止することができる。
【００３６】
次に、前記実施例を部分的に変更した変形例について説明する。
１〕前記実施例においては、拡張部を弁部の下流端全周から径方向外側へ張り出した例を説明したが、少なくとも開弁状態における流体の受圧面積を閉弁状態における流体の受圧面積よりも増加出来ればよく、全周のうちの一部から部分的に径方向外側へ張り出した拡張部であっても良い。また、他のチャタリング防止技術と併用することも可能である。
【００３７】
２〕前記実施例においては、流体として気体用のスイング式逆止弁の例を説明したが、液体用のスイング式逆止弁に適用することも可能である。
３〕その他、当業者であれば、本発明の趣旨を逸脱することなく、前記実施例に種々の変更を付加した形態で実施可能であり、本発明はそのような変更形態も包含するものである。
【産業上の利用可能性】
【００３８】
本発明は、流路を流れる流体の逆流を防止し、流体を一方向のみに流すスイング式逆止弁において、開弁状態における流体を受ける弁体の受圧面積を閉弁状態における流体を受ける弁体の受圧面積よりも増加したため、逆止弁機能の向上とチャタリング防止とを両立できる。
【符号の説明】
【００３９】
１      スイング式逆止弁
２      弁ケース
２ｄ    壁部
３      流路
３ａ    入口部
３ｂ    出口部
４      弁座
５      アーム
６      回動軸
７      弁体
７ａ    弁部
１３    拡張部
【図１】
0005921185.tif 000003
【図２】
0005921185.tif 000004
【図３】
0005921185.tif 000005
【図４】
0005921185.tif 000006